(57)【要約】【課題】  住宅等に防犯システムを設けるためだけに工事をする必要が無く、安価に設けることができ、不審者等の家屋への侵入を抑制可能とする。【解決手段】  屋外に配置される給湯器１を通信線２を介して屋内配置のリモコン装置３とを接続する。給湯器１には給湯器１の近傍領域に人がいることを検知する人検知センサ２７と、該人検知センサ２７によって人の検知が行われたときに、その検知信号を受けて人検知有りの信号を出力する人検知信号出力部７とを設ける。前記人検知有りの信号が前記通信線２を介して給湯器１からリモコン装置３へ伝達される構成とする。この伝達された信号を受けて予め設定されたＴＶ２８や照明器具２９ａ，２９ｂ等の電気負荷機器のスイッチをオンする防犯用スイッチオン手段８をリモコン装置３に設ける。【選択図】        図１
2006107266.tif 000002
【特許請求の範囲】
【請求項１】
屋外に配置される熱交換住設備と、該熱交換住設備と通信線により接続されて屋内に配置されるリモコン装置とを有し、前記熱交換住設備には該熱交換住設備の近傍領域に人がいることを検知する人検知センサと、該人検知センサによって人の検知が行われたときに、前記人検知センサによる人の検知信号を受けて人検知有りの信号を出力する人検知信号出力部とが設けられ、前記人検知有りの信号が前記通信線を介して前記熱交換住設備から前記リモコン装置へ伝達される構成とし、この伝達された信号を受けて予め設定された１つ以上の電気負荷機器のスイッチをオンする防犯用スイッチオン手段が前記リモコン装置に設けられていることを特徴とする防犯システム。
【請求項２】
熱交換住設備は給湯熱源装置であり、人検知信号出力部が出力する人検知有りの信号をリモコン装置に伝達する通信線は給湯熱源装置の制御用の通信回線を共用したことを特徴とする請求項１記載の防犯システム。
【請求項３】
人検知有りの信号に基づいて防犯用スイッチオン手段がスイッチオンする電気負荷機器は、照明器具と音響機器の少なくとも一方を有していることを特徴とする請求項１または請求項２記載の防犯システム。
【請求項４】
熱交換住設備とリモコン装置の少なくとも一方には、人検知信号出力部から人検知有りの信号が出力されたときに、人検知有りの情報を予め定められている設定電話番号の電話に送信する電話用データ送信部が設けられていることを特徴とする請求項１または請求項２または請求項３記載の防犯システム。
【請求項５】
熱交換住設備とリモコン装置の少なくとも一方には、人検知信号出力部から人検知有りの信号が出力されたときに警告を発する警告発生部が設けられていることを特徴とする請求項１乃至請求項４のいずれか一つに記載の防犯システム。
【請求項６】
熱交換住設備には映像を撮影可能な撮影手段が設けられ、該撮影手段により撮影した画像を表示可能なディスプレイ部がリモコン装置に設けられており、人検知信号出力部が人検知有りの信号を出力したときに前記撮影手段が撮影する画像が前記熱交換住設備から前記リモコン装置へ通信線を通して伝達され、前記画像がリモコン装置のディスプレイ部に表示される構成としたことを特徴とする請求項１乃至請求項５のいずれか一つに記載の防犯システム。
【請求項７】
熱交換住設備とリモコン装置の少なくとも一方には、撮影手段により撮影する画像のデータを記憶するデータ記憶部が設けられ、該データ記憶部は人検知信号出力部が人検知有りの信号を出力したときに前記撮影手段が撮影する画像のデータを記憶する構成と成しており、前記リモコン装置にはディスプレイ操作部が設けられ、該ディスプレイ操作部の画像再生表示操作に応じて前記データ記憶部に記憶されている画像のデータがリモコン装置のディスプレイ部に表示されることを特徴とする請求項６記載の防犯システム。
【請求項８】
熱交換住設備に人検知センサを設ける代わりに、赤外線の発光部と、該発光部と間隔を介して配置される赤外線の受光部とを有して前記赤外線の発光部と受光部との間の領域を検知領域とする分離配置型の赤外線センサを前記熱交換住設備以外の場所に設置し、人検知信号出力部は前記赤外線センサにより前記検知領域に人がいることを検知したときに前記赤外線センサからの検知信号を受けて人検知有りの信号を出力する構成と成し、前記人検知信号出力部が人検知有りの信号を出力したときには該人検知有りの信号を前記熱交換住設備から前記リモコン装置へ前記通信線を通して伝達する構成としたことを特徴とする請求項１乃至請求項５のいずれか一つに記載の防犯システム。
【請求項９】
分離配置型の赤外線センサは、赤外線の発光部と該発光部と間隔を介して配置される受光部とを有する代わりに、赤外線の発光部と、該発光部と間隔を介して配置されて前記発光部から発光される赤外線を反射する赤外線の反射部と、該反射部で反射した赤外線を受光する受光部とを備え、前記赤外線の発光部と反射部との間の領域を検知領域とすることを特徴とする請求項８記載の防犯システム。
【請求項１０】
人検知センサまたは赤外線センサによる人の検知感度を可変設定できる人検知感度可変設定部を設けたことを特徴とする請求項１乃至請求項９のいずれか一つに記載の防犯システム。
【発明の詳細な説明】
【技術分野】
【０００１】
本発明は、例えば給湯器や暖房熱源機等の給湯熱源装置等、住宅等の屋外に配置される熱交換住設備と屋内に配置されるリモコン装置とを利用する防犯システムに関するものである。
【背景技術】
【０００２】
近年、住宅等において、様々な防犯システムが用いられており、例えば屋外に、人を検知できる人検知センサを設け、この人検知センサによる人の検知が行われたときには、エアコンの室外機のファンを回転させて、留守宅でも、室内に家人がいることを装うことが提案されている（例えば、特許文献１、参照。）。
【０００３】
【特許文献１】特開２００３−４２７９号公報
【発明の開示】
【発明が解決しようとする課題】
【０００４】
しかしながら、例えばエアコンを付けたまま家人が外出することもあることから、エアコンの室内機のファンを回転させる構成では、留守中に、家人が屋内にいることを十分に装えない。そこで、人検知センサによる人の検知が行われたときに、室内の照明やテレビ等をつけて、留守宅に、家人が屋内にいることを装うことが考えられるが、人検知センサによる人検知信号を屋内の設備に接続するには、人検知センサと屋内設備とを接続する接続線を通す穴を、家屋に形成しなければならないため、家屋を傷めるおそれがあるし、設置作業も大変である。
【０００５】
本発明は、上記従来の課題を解決するために成されたものであり、その目的は、住宅等に防犯システムを設けるためだけに工事をする必要が無く、安価に設けることができ、留守宅内への不審者等の侵入を抑制できる防犯システムを提供することにある。
【課題を解決するための手段】
【０００６】
上記目的を達成するために、本発明は次のような構成をもって課題を解決する手段としている。すなわち、第１の発明は、屋外に配置される熱交換住設備と、該熱交換住設備と通信線により接続されて屋内に配置されるリモコン装置とを有し、前記熱交換住設備には該熱交換住設備の近傍領域に人がいることを検知する人検知センサと、該人検知センサによって人の検知が行われたときに、前記人検知センサによる人の検知信号を受けて人検知有りの信号を出力する人検知信号出力部とが設けられ、前記人検知有りの信号が前記通信線を介して前記熱交換住設備から前記リモコン装置へ伝達される構成とし、この伝達された信号を受けて予め設定された１つ以上の電気負荷機器のスイッチをオンする防犯用スイッチオン手段が前記リモコン装置に設けられている構成をもって課題を解決する手段としている。
【０００７】
また、第２の発明は、上記第１の発明の構成に加え、前記熱交換住設備は給湯熱源装置であり、人検知信号出力部が出力する人検知有りの信号をリモコン装置に伝達する通信線は給湯熱源装置の制御用の通信回線を共用した構成をもって課題を解決する手段としている。
【０００８】
さらに、第３の発明は、上記第１または第２の発明の構成に加え、前記人検知有りの信号に基づいて防犯用スイッチオン手段がスイッチオンする電気負荷機器は、照明器具と音響機器の少なくとも一方を有している構成をもって課題を解決する手段としている。
【０００９】
さらに、第４の発明は、上記第１または第２または第３の発明の構成に加え、前記熱交換住設備とリモコン装置の少なくとも一方には、人検知信号出力部から人検知有りの信号が出力されたときに、人検知有りの情報を予め定められている設定電話番号の電話に送信する電話用データ送信部が設けられている構成をもって課題を解決する手段としている。
【００１０】
さらに、第５の発明は、上記第１乃至第４のいずれか一つの発明の構成に加え、前記熱交換住設備とリモコン装置の少なくとも一方には、人検知信号出力部から人検知有りの信号が出力されたときに警告を発する警告発生部が設けられている構成をもって課題を解決する手段としている。
【００１１】
さらに、第６の発明は、上記第１乃至第５のいずれか一つの発明の構成に加え、前記熱交換住設備には映像を撮影可能な撮影手段が設けられ、該撮影手段により撮影した画像を表示可能なディスプレイ部がリモコン装置に設けられており、人検知信号出力部が人検知有りの信号を出力したときに前記撮影手段が撮影する画像が前記熱交換住設備から前記リモコン装置へ通信線を通して伝達され、前記画像がリモコン装置のディスプレイ部に表示される構成とした構成をもって課題を解決する手段としている。
【００１２】
さらに、第７の発明は、上記第６発明の構成に加え、前記熱交換住設備とリモコン装置の少なくとも一方には、撮影手段により撮影する画像のデータを記憶するデータ記憶部が設けられ、該データ記憶部は人検知信号出力部が人検知有りの信号を出力したときに前記撮影手段が撮影する画像のデータを記憶する構成と成しており、前記リモコン装置にはディスプレイ操作部が設けられ、該ディスプレイ操作部の画像再生表示操作に応じて前記データ記憶部に記憶されている画像のデータがリモコン装置のディスプレイ部に表示される構成をもって課題を解決する手段としている。
【００１３】
さらに、第８の発明は、上記第１乃至第５のいずれか一つの発明の構成に加え、前記熱交換住設備に人検知センサを設ける代わりに、赤外線の発光部と、該発光部と間隔を介して配置される赤外線の受光部とを有して前記赤外線の発光部と受光部との間の領域を検知領域とする分離配置型の赤外線センサを前記熱交換住設備以外の場所に設置し、人検知信号出力部は前記赤外線センサにより前記検知領域に人がいることを検知したときに前記赤外線センサからの検知信号を受けて人検知有りの信号を出力する構成と成し、前記人検知信号出力部が人検知有りの信号を出力したときには該人検知有りの信号を前記熱交換住設備から前記リモコン装置へ前記通信線を通して伝達する構成とした構成をもって課題を解決する手段としている。
【００１４】
さらに、第９の発明は、上記第８の発明の構成に加え、前記分離配置型の赤外線センサは、赤外線の発光部と該発光部と間隔を介して配置される受光部とを有する代わりに、赤外線の発光部と、該発光部と間隔を介して配置されて前記発光部から発光される赤外線を反射する赤外線の反射部と、該反射部で反射した赤外線を受光する受光部とを備え、前記赤外線の発光部と反射部との間の領域を検知領域とする構成をもって課題を解決する手段としている。
【００１５】
さらに、第１０の発明は、上記第１乃至第９のいずれか一つの発明の構成に加え、前記人検知センサまたは赤外線センサによる人の検知感度を可変設定できる人検知感度可変設定部を設けた構成をもって課題を解決する手段としている。
【発明の効果】
【００１６】
本発明において、屋外配置の熱交換住設備に、人検知センサと人検知センサによる人の検知領域に人がいることを検知したときに人検知有りの信号を出力する人検知信号出力部を設けた構成によれば、この人検知信号出力部からの人検知有りの信号を前記熱交換住設備から通信線を介してリモコン装置に伝達し、リモコン装置の防犯用スイッチオン手段によって、少なくとも１つの電気負荷機器のスイッチをオンするので、人検知センサから伝達される人検知有りの信号を屋内に伝達して、リモコン装置に信号接続された電気負荷機器のスイッチを操作するための接続線を新たに設ける必要がない。
【００１７】
そのため、その接続線を通す穴を家屋に形成する必要も無く、これらの設置によって家屋を傷めたりするおそれは無いため、接続線配設の工事費用や、接続線設置の工事費用も不要となり、防犯システムを設けるためのコストを安くできる。
【００１８】
そして、上記人検知センサによって、人の検知が行われたときに、リモコン装置に設けた防犯用スイッチオン手段により、１つ以上の電気負荷機器のスイッチをオンすることにより、家人が室内にいることを装い、留守宅内に不審者等が侵入することを抑制できる。
【００１９】
また、本発明において、熱交換住設備は給湯熱源装置であり、人検知信号出力部からの人検知有り信号をリモコン装置に伝達する通信線は給湯熱源装置の制御用の通信回線を共用した構成によれば、通常、住宅に必然的に設置される給湯熱源装置の制御用通信回線を利用して防犯システムを構成できるので、熱交換住設備とリモコン装置との間の通信回線を増やす必要は無く、通信回線の設置により見栄えを損なうこともなく、より安価に防犯システムを構築できる。
【００２０】
さらに、本発明において、人検知有りの信号に基づいて防犯用スイッチオン手段がスイッチオンする電気負荷機器は、照明器具と音響機器の少なくとも一方を有している構成によれば、照明器具や音響機器のスイッチをオンすることにより、的確に、家人が室内にいることを装うことができる。
【００２１】
さらに、本発明において、熱交換住設備とリモコン装置の少なくとも一方には、人検知信号出力部が人検知有りの信号を出力したときに、人検知有りの情報を予め定められている設定電話番号の電話に送信する電話用データ送信部を有する構成によれば、使用者が留守中であっても、不審者等が検知されたことを、設定電話番号の電話によって把握することができる。
【００２２】
さらに、本発明において、熱交換住設備とリモコン装置の少なくとも一方には、人検知信号出力部が人検知有りの信号を出力したときに警告を発する警告発生部が設けられている構成によれば、例えば泥棒等の不審者に対し、熱交換住設備の警告発生部により警告を発することにより、不審者が逃げ出すように仕向けることができる。また、リモコン装置から警報を発すれば、リモコン装置の近くに使用者がいるように装うことができ、防犯機能を高めることができる。
【００２３】
さらに、本発明において、熱交換住設備には映像を撮影可能な撮影手段が設けられ、人検知信号出力部が人検知有りの信号を出力したときに前記撮影手段が撮影する画像が前記熱交換住設備から前記リモコン装置へ通信線を通して伝達され、前記画像がリモコン装置のディスプレイ部に表示される構成によれば、例えば使用者が在宅時に不審者等の映像を容易に把握できる。
【００２４】
さらに、本発明において、熱交換住設備とリモコン装置の少なくとも一方には、撮影手段により撮影する画像のデータを記憶するデータ記憶部が設けられ、該データ記憶部は人検知信号出力部が人検知有りの信号を出力したときに前記撮影手段が撮影する画像のデータを記憶し、リモコン装置のディスプレイ操作部の画像再生表示操作に応じて前記データ記憶部に記憶されている画像のデータがリモコン装置のディスプレイ部に表示される構成によれば、例えば、使用者が留守中等にデータ記憶部に記憶した画像のデータをリモコン装置のディスプレイ部に表示して、不審者等の映像を確認できる。
【００２５】
さらに、本発明において、熱交換住設備に人検知センサを設ける代わりに、互いに間隔を介して配置される赤外線の発光部と受光部とを有する分離配置型の赤外線センサの人検知センサを熱交換住設備以外の場所に設ける構成によれば、赤外線の発光部と受光部の設置位置を適宜決定し、その間隔を広くすることにより、この広い間隔において人の検知を行って、広範囲の領域において不審者等の検出を行うことができる。
【００２６】
また、本発明において、分離配置型の赤外線センサを、赤外線の発光部と、該発光部と間隔を介して配置されて前記発光部から発光される赤外線を反射する赤外線の反射部と、該反射部で反射した赤外線を受光する受光部とを備え、前記赤外線の発光部と反射部との間の領域を検知領域とした構成においても、上記と同様の効果を奏することができる。
【００２７】
さらに、本発明の防犯システムにおいて、人検知センサまたは赤外線センサによる人の検知感度を可変設定できる人検知感度可変設定部を有している構成によれば、例えば、人検知センサや赤外線センサが設置されている場所を猫等が通りやすい時間帯に、人検知センサや赤外線センサによる人の検知感度を小さく設定することにより、人検知センサや赤外線センサが必要以上に人の検知を行う（人以外の生き物等を人と誤検知する）といったことを抑制できる。
【発明を実施するための最良の形態】
【００２８】
以下、本発明の実施の形態を、図面を参照して説明する。
【００２９】
図１には、本発明に係る防犯システムの一実施形態例の設置構成が平面図により模式的に示されており、図２には、この防犯システムのシステム構成例が示されている。
【００３０】
本実施形態例の防犯システムは、図１に示すように、家屋６の屋外に配置した給湯器１と、該給湯器１に通信線２を介して接続されて屋内に配置されているリモコン装置３を有しており、給湯器１には、該給湯器１の近傍領域に人がいることを検知する人検知センサ２７が設けられている。人検知センサ２７は、例えば、人等から出る赤外線を受光する赤外線センサや、赤外線を投光し、その赤外線が人等に当たって反射する赤外線を受光したりする赤外線センサや、超音波センサ等、適宜のセンサにより形成されている。
【００３１】
給湯器１は、屋外に配置される熱交換住設備であり、風呂用、台所給湯用等、様々なものが適用されるが、いずれも、通常、住宅に必然的に設けられる。前記通信線２は、給湯器１の制御用の通信回線を使用（共用）している。
【００３２】
なお、図１において、リモコン装置３は屋内に１つだけ設けられている状態が示されているが、リモコン装置３は、浴室や台所等の適宜の場所に１つ以上配置されるものである。複数のリモコン装置３を設ける場合は、これらのリモコン装置３は、互いに通信線を介して接続される。
【００３３】
図２に示すように、リモコン装置３には、防犯用スイッチオン手段８、給湯器用信号送受信部１５、ディスプレイ部１６、ディスプレイ操作部１２、人検知感度可変設定部１１、警告発生部１０（１０ｂ）、給湯運転指示部１９が設けられている。また、給湯器１には、データ記憶部２１、撮影手段２６、人検知センサ２７、リモコン用信号送受信部１４、人検知信号出力部７、電話用データ送信部９、警告発生部１０（１０ａ）、燃焼制御部１８が設けられている。
【００３４】
リモコン装置３の給湯器用信号送受信部１５は、リモコン装置３からの送信信号を、通信線２を介して給湯器１に送信したり、給湯器１側からの送信信号を、通信線２を介して受信したりするものである。
【００３５】
給湯器１のリモコン用信号送受信部１４は、給湯器１側からの送信信号を、通信線２を介してリモコン装置３側に送信したり、リモコン装置３からの送信信号を、通信線２を介して受信したりするものである。
【００３６】
このように、本実施形態例では、給湯器用信号送受信部１５とリモコン用信号送受信部１４とにより、通信線２を介しての、給湯器１とリモコン装置３との双方向通信を行う構成と成している。
【００３７】
給湯器１の人検知信号出力部７は、人検知センサ２７によって人の検知が行われたときに、人検知センサ２７による人の検知信号を受けて人検知有りの信号を出力するものである。この人検知有りの信号は、前記通信線２を介して給湯器１からリモコン装置３へ伝達される構成と成している。
【００３８】
つまり、人検知信号出力部７から出力される人検知有りの信号は、前記リモコン用信号送受信部１４を介して通信線２に送信され、通信線２を介してリモコン装置３へ伝達される。この伝達信号は、リモコン装置３の給湯器用信号送受信部１５を介して防犯用スイッチオン手段８に加えられる。
【００３９】
防犯用スイッチオン手段８は、前記伝達信号（人検知信号出力部７から出力される人検知有りの信号）を受けて、予め設定された１つ以上の電気負荷機器のスイッチをオンするものである。
【００４０】
防犯用スイッチオン手段８がスイッチオンする電気負荷機器は、予め定められた適宜の機器であり、特に限定されるものではないが、例えば照明器具やテレビ、ラジオ等の音響機器、電動窓シャッターまたは電動ガレージシャッター等がある。本実施形態例では、防犯用スイッチオン手段８は、ＴＶ（テレビジョン）２８と照明器具２９（２９ａ，２９ｂ）とに、無線によりスイッチオン信号を加え、これら、ＴＶ２８と照明器具２９のスイッチをオンする（図１参照）。
【００４１】
本実施形態例は、上記のように、人検知センサ２７が人を検知したときに、人検知有りの信号を、人検知信号出力部７が出力し、通信線２を介してリモコン装置３の防犯用スイッチオン手段８に加え、防犯用スイッチオン手段８によって、１つ以上の電気負荷機器（ここでは室内配置の電気負荷機器）のスイッチをオンすることを特徴的な構成としている。
【００４２】
給湯器１に設けられている撮影手段（撮像手段）２６は、映像を撮影可能なＣＣＤカメラや赤外線カメラ等の適宜の手段により形成されており、人検知信号出力部７から人検知有りの信号が出力されたときに、給湯器１の近傍領域の映像を撮影する。
【００４３】
この撮影画像は、画像データとしてリモコン用信号送受信部１４に加えられ、さらに、通信線２を介して、リモコン装置３の給湯器用信号送受信部１５に加えられる。
【００４４】
リモコン装置３のディスプレイ部１６は、例えば、通常、給湯器１の燃焼運転制御に関する情報を表示しているが、人検知センサ２７が給湯器１近傍に人がいることを検知して、撮影手段２６が撮影した画像のデータが給湯器用信号送受信部１５に加えられたときには、この画像の表示に切り替わり、撮影手段２６が撮影する画像を表示する。
【００４５】
給湯器１に設けられているデータ記憶部２１は、撮影手段２６が撮影した画像のデータを記憶するものであり、人検知センサ２７が前記給湯器１近傍に人がいることを検知したときに、撮影手段２６が撮影する画像が、画像データとしてデータ記憶部２１に加えられ、データ記憶部２１に記憶される。
【００４６】
このデータ記憶部２１が記憶したデータの再生は、リモコン装置３のディスプレイ操作部１２の操作によって行われる。ディスプレイ操作部１２は、画像再生表示操作や画像表示操作の操作部（例えばボタン）を有しており、ディスプレイ操作部１２の画像再生表示操作に応じて、例えば予め定めた設定期間にデータ記憶部２１が記憶したデータの再生が行われ、画像のデータがリモコン装置３のディスプレイ部１６に表示される。
【００４７】
つまり、ディスプレイ操作部１２の画像再生表示操作が行われると、この画像表示指示が給湯器用信号送受信部１５に加えられ、さらに、通信線２を通してリモコン用信号送受信部１４に加えられる。そして、撮影手段２６が撮影してデータ記憶部２１に記憶されている画像のデータをリモコン用信号送受信部１４が取り込み、通信線２を通して給湯器用信号送受信部１５に加え、ディスプレイ部１６に表示する。
【００４８】
なお、ディスプレイ操作部１２は、データ記憶部２１が記憶したデータの再生に際し、早送りや巻き戻し、消去等の適宜の操作が行える機能も有している。
【００４９】
また、ディスプレイ操作部１２の画像表示操作によって、たとえ人検知センサ２７が人の検知を行っていない場合でも、随時、撮影手段２６により撮影する画像がリモコン装置３のディスプレイ部１６に表示される。
【００５０】
つまり、ディスプレイ操作部１２の画像表示操作が行われると、この画像表示指示が給湯器用信号送受信部１５に加えられ、さらに、通信線２を通してリモコン用信号送受信部１４に加えられる。そして、撮影手段２６が撮影する画像のデータをリモコン用信号送受信部１４が取り込み、通信線２を通して給湯器用信号送受信部１５に加え、ディスプレイ部１６に表示する。
【００５１】
給湯器１に設けられている電話用データ送信部９は、前記人検知信号出力部７が人検知有りの信号を出力したときに、「人検知有り」の情報を、予め定められている設定電話番号の電話に送信するものであり、本実施形態例では、「人検知有り」の情報を携帯電話１３に送信する。このデータは、例えばメールの形態で携帯電話１３に送信され、ディスプレイ部に文字情報として表示されたり、音声情報として送信され、携帯電話１３の持ち主に音声で伝達されたりする。
【００５２】
なお、本実施形態例では、給湯器１に撮影手段２６が設けられているので、この撮影手段２６によって撮影した画像を電話用データ送信部９に加え、写メールの形態で、携帯電話１３に伝達することもできる。
【００５３】
また、電話用データ送信部９を有線により警察や警備会社等の電話に接続し、人検知信号出力部７が人検知有りの信号を出力したときに、その情報を、１１０番や予め定められている設定電話番号の警備会社の電話に送信してもよい。
【００５４】
警告発生部１０は、前記人検知信号出力部７が人検知有りの信号を出力したときに警告を発する。この警告は、例えば光と音と振動の少なくとも一つの手段によって発するものであり、例えばスピーカー等を介して警告を発したり、ライトを当てる等、様々な適用が可能である。
【００５５】
本実施形態例では、給湯器１に警告発生部１０（１０ａ）が、リモコン装置３に警告発生部１０（１０ｂ）がそれぞれ設けられており、警告発生部１０ａには人検知信号出力部７からの人検知有りの信号が直接加えられ、警告発生部１０ｂには、前記人検知信号出力部７からの人検知有りの信号が、給湯器１のリモコン用信号送受信部１４、通信線２、リモコン装置３の給湯器用信号送受信部１５を順に介して加えられる。
【００５６】
なお、例えば、通信線２の切断等を検出するセンサを設け、例えば不審者により通信線２が切断されたときにも、リモコン装置３の警告発生部１０ｂが警告を発するように構成することもできる。このように構成すると、警告により、不審者が逃げ出すように仕向ける等の効果を発揮できる。また、電源線が切断された場合は、本体（ここでは給湯器１）のメモリバックアップ用バッテリーを用いて本体から警告を発してもよい。
【００５７】
人検知感度可変設定部１１は、人検知センサ２７による人の検知感度を可変設定するものである。人検知感度可変設定部１１により人の検知感度の可変設定が行われると、この検知感度可変設定指示が給湯器用信号送受信部１５に加えられ、さらに、通信線２を通してリモコン用信号送受信部１４に加えられる。そして、前記検知感度可変設定指示が人検知センサ２７に加えられ、人検知センサ２７の検知感度が可変設定される。
【００５８】
リモコン装置３の給湯運転指示部１９は、給湯運転関連の指示を行うものであり、本実施形態例において、通信線２は、給湯器１の通信回線を使用（共用）しているので、給湯運転指示部１９の指示を給湯器用信号送受信部１５から給湯器１のリモコン用信号送受信部１４に加える機能も有している。給湯運転指示部１９の指示がリモコン用信号送受信部１４に加えられると、この指示信号は燃焼制御部１８に加えられ、給湯器１が給湯燃焼運転等を適宜行う。なお、この給湯燃焼運転に関する説明は省略する。
【００５９】
本実施形態例の防犯システムは以上のように構成されており、屋外の、通常は人目につきにくい場所に設けられている給湯器１に人検知センサ２７を設けており、泥棒等の不審者が屋内の様子をうかがうために給湯器１に近づきやすいので、人検知センサ２７により不審者等を検知しやすく、この検知信号に基づいて、室内配置のリモコン装置３の防犯用スイッチオン手段８によって、室内配置の電気負荷機器のスイッチをオンするので、不審者等の家屋への侵入を的確に抑制できる。
【００６０】
また、本実施形態例によれば、人検知センサ２７により人の検知が行われたときに、その人検知有りの信号を給湯器１から通信線２を介してリモコン装置３に伝達し、リモコン装置３の防犯用スイッチオン手段８によって、室内配置の電気負荷機器のスイッチをオンするので、人検知センサ２７により検出されて人検知信号出力部７から発信される人検知有りの信号を、屋内に伝達して、屋内配置の電気負荷機器のスイッチを操作するための接続線を新たに設ける必要がない。
【００６１】
そのため、本実施形態例では、その接続線を通す穴を家屋に形成する必要も無く、これらの設置によって家屋を傷めたりするおそれは無いため、接続線配設の工事費用や、接続線設置の工事費用も不要となり、防犯システムを設けるためのコストを安くできる。
【００６２】
そして、上記人検知センサ２７によって人の検知が行われたときに、室内のリモコン装置３の防犯用スイッチオン手段８により、１つ以上の屋内配置の電気負荷機器のスイッチをオンすることにより、家人が室内にいることを装い、不審者等が屋内に侵入することを抑制できる。
【００６３】
また、本実施形態例によれば、人検知信号出力部７からの人検知有り信号をリモコン装置３に伝達する通信線２は給湯器１の制御用の通信回線を共用しているので、給湯器１とリモコン装置３との間の通信回線を増やす必要は無く、通信回線の設置により見栄えを損なうこともなく、より安価に防犯システムを構築できる。
【００６４】
さらに、本実施形態例によれば、人検知信号出力部７が人検知有りの信号を出力したときに、人検知有りの情報を予め定められている設定電話番号の電話に送信する電話用データ送信部を有するので、使用者が留守中であっても、設定電話番号の携帯電話１３等によって不審者等が検知されたことを把握することができる。
【００６５】
さらに、本実施形態例によれば、人検知信号出力部７が人検知有りの信号を出力したときに警告を発する警告発生部１０が、リモコン装置３と給湯器１の両方に設けられているので、例えば泥棒等の不審者が給湯器１の近傍領域に近づいた時に、給湯器１の警告発生部１０ａにより警告を発することにより、不審者が逃げ出すように仕向けることができる。また、リモコン装置３の警告発生部１０ｂから警報を発すれば、リモコン装置３の近くにいかにも使用者がいるように装うことができ、防犯機能を高めることができる。
【００６６】
さらに、本実施形態例によれば、屋外の、給湯器１に撮影手段５を設け、撮影手段５により撮影した画像を前記給湯器１から前記リモコン装置３へ伝達し、リモコン装置３のディスプレイ部１６に表示することにより、使用者が在宅時に不審者等の映像を容易に把握できる。
【００６７】
さらに、本実施形態例によれば、撮影手段５により撮影した画像のデータをデータ記憶部２１が記憶し、データ記憶部２１に記憶されている画像のデータがリモコン装置３のディスプレイ操作部１２の画像再生表示操作に応じてディスプレイ部１６に表示されるので、例えば、使用者が留守中等にデータ記憶部２１に記憶した画像のデータをリモコン装置３のディスプレイ部１６に表示して、不審者等の映像を確認できる。
【００６８】
さらに、本実施形態例によれば、人検知センサ２７による人の検知感度を可変設定できる人検知感度可変設定部１１を有しているので、例えば、人検知センサ２７の検知領域５を猫等が通りやすい時間帯には、人検知センサ２７による人の検知感度を小さく設定することにより、人検知センサ２７による誤検知を抑制できる。
【００６９】
なお、本発明は上記実施形態例に限定されることはなく、様々な態様を採り得る。例えば、上記実施形態例では、給湯器１とリモコン装置３の両方に警告発生部１０を設けたが、給湯器１とリモコン装置３のいずれか一方にのみ警告発生部１０を設けてもよいし、警告発生部１０を省略することもできる。ただし、警告発生部１０を設けると、犯罪を未然に防ぐ上で有利であり、好ましい。
【００７０】
また、上記実施形態例では、電話用データ送信部９を設けたが、電話用データ送信部９は省略することもできる。
【００７１】
さらに、上記実施形態例では、人検知感度可変設定部１１を設けたが、人検知感度可変設定部１１は省略することもできる。
【００７２】
さらに、上記実施形態例では、給湯器１に撮影手段２６とデータ記憶部２１とを設けたが、データ記憶部２１はリモコン装置３に設けてもよい。また、データ記憶部２１や撮影手段２６は省略することもできる。
【００７３】
さらに、本発明の防犯システムは、給湯器１に人検知センサ２７を設ける代わりに、図３（ａ）に示すように、家屋６の裏側などの適宜の場所に、赤外線の発光部（投光部）３１と、該発光部３１から発光される赤外線を反射する赤外線の反射部３２と、該反射部３２で反射した赤外線を受光する受光部３３とを備えた分離配置型の赤外線センサ４を設け、該赤外線センサ４によって、その検知領域５に人がいることを検知したときに、赤外線センサ４からの検知信号を受けて人検知信号を出力する人検知信号出力部７を給湯器１に設けて構成してもよい。
【００７４】
この場合、例えば赤外線センサ４の電源は給湯器１に設け、赤外線センサ４と人検知信号出力部７とは、図２の破線および図３（ａ）に示すように、接続線１７を介して接続してもよいし、無線により赤外線センサ４の検知信号を人検知信号出力部７に受信する構成としてもよい。
【００７５】
上記赤外線センサ４としては、例えば図４（ａ）の側面図に示すようなセンサが適用される。この例では、赤外線の受光部３３は発光部３１の下部側に配置され、赤外線の反射部３２は、発光部３１および受光部３３と間隔を介して配置されており、発光部３１と反射部３２との間隔が赤外線センサ４の検知領域５となる。このような赤外線センサ４は、赤外線の発光部３１と反射部３２との間隔を、例えば１０ｍ程度に適宜広く形成することによって、検知領域５を広く設定することができ、広範囲の領域において不審者等の検出を行うことができる。
【００７６】
例えば、図３（ａ）の例では、家屋６において、通常は、人の出入りが無い裏側（玄関のドアの反対側）領域全体を赤外線センサ４の検知領域５としているので、家屋６の裏側から家屋６内に侵入しようとしている不審者等を確実に検知しできる。
【００７７】
さらに、図３（ｂ）の側面図に示すように、配置高さが高い位置と低い位置とにそれぞれ赤外線センサ４を設けると、検知領域５を広くできるし、例えば、配置高さが低い位置の赤外線センサ４のみにより検知が行われたときには、猫等の小動物が通過したと判断し、配置高さが高い位置の赤外線センサ４と低い位置の赤外線センサ４の両方により検知が行われたときには、人の検知であると判断したりする等、状況の把握を適切に行い、状況に応じた防犯対策を適宜行うことができる防犯システムを実現できる。
【００７８】
また、分離配置型の赤外線センサ４は、図４（ｂ）に示すように、赤外線の発光部３１と、該発光部３１と間隔を介して配置される赤外線の受光部３３とを有して、前記赤外線の発光部３１と受光部３３との間の領域を検知領域５とする赤外線センサとしてもよい。この場合も、図４（ａ）に示したタイプの赤外線センサ４の適用時と同様の効果を奏することができる。
【００７９】
さらに、家屋６の外周側全領域における人の検知を行えるように、家屋６を囲む態様で、それぞれの場所に、上記分離配置型の赤外線センサ４を配置してもよい。この場合、例えば人検知信号出力部７が複数の赤外線センサ４のうち、いずれの赤外線センサ４からの検知信号であるかを区別判断できるようにしたり、複数の赤外線センサ４のうち１つ以上の赤外線センサ４を、時間帯に応じて選択的に動作させるようにしたりすると、状況に応じた防犯対策を適宜行える防犯システムを実現できる。
【００８０】
さらに、本発明の防犯システムは、人検知信号出力部７が人検知有りの信号を出力したときに、屋内配置の電気負荷機器を稼動させるとは限らず、前記のようにシャッター等を稼動してもよいし、給湯器１が浴槽への湯張り動作を連動して行うような構成としてもよい。つまり、湯張りが設定されて待機状態にあるような場合に、人検知信号が出力されたときには湯張りが開始されるようにすると、より一層、家人の在宅を装うことができるので、防犯上有利となる。
【００８１】
さらに、上記実施形態例では、人検知信号出力部７を設ける熱交換住設備を給湯器１としたが、人検知信号出力部７を設ける屋外配置の熱交換住設備は、冷暖房熱源機やコジェネレーションシステム等の熱源装置としてもよい。この場合も、人検知信号出力部７からの人検知有りの信号をリモコン装置３に伝達する通信線２は熱源装置の制御用の通信回線を使用しても使用しなくてもよいが、通信線２は熱源装置の制御用の通信回線を使用したほうが、設置が容易となり、コストも低減できるので好ましい。
【００８２】
さらに、人検知信号出力部７を設ける屋外配置の熱交換住設備は、給湯器１等の給湯熱源装置とするとは限らず、エアコンの室外機等の設備としてもよい。
【００８３】
さらに、リモコン装置３は、電源スイッチを操作すると表示を含めて全ての機能を停止状態にする省エネタイプの装置としてもよい。この場合、人検知センサ２７や赤外線センサ４と人検知信号出力部７のみはＯＮとしておき、この人検知信号出力部７から「人検知有り」の信号を受けたならば、この信号で、リモコン装置３の電源スイッチをＯＮとしてディスプレイ表示可能状態にできるようにすることで、省エネと防犯を両立できる。
【図面の簡単な説明】
【００８４】
【図１】本発明に係る防犯システムの一実施形態例の設置構成を模式的に示す説明図である。
【図２】本発明に係る防犯システムの一実施形態例の制御構成をブロック図により示す説明図である。
【図３】上記実施形態例およびその他の実施形態例に設けられる赤外線センサの配置例を模式的に示す説明図である。
【図４】本発明に係る防犯システムの他の実施形態例に適用される赤外線センサの構成例を模式的に示す説明図である。
【符号の説明】
【００８５】
１  給湯器
２  通信線
３  リモコン装置
４  赤外線センサ
５  検知領域
７  人検知信号出力部
８  防犯用スイッチオン手段
９  電話用データ送信部
１０  警告発生部
１１  人検知感度可変設定部
１３  携帯電話
１４  リモコン用信号送受信部
１５  給湯器用信号送受信部
２１  データ記憶部
２６  撮影手段
２７  人検知センサ
【図１】
2006107266.tif 000003
【図２】
2006107266.tif 000004
【図３】
2006107266.tif 000005
【図４】
2006107266.tif 000006